(57)【要約】      （修正有）【課題】少なくとも１つの光源を投射するためのレンズ系を提供する。【解決手段】光源１から光の伝播方向に、光源１に接した少なくとも１つの第１の集束レンズであって、高いコンストリンジェンスを呈する材料から得られると共に、光軸に沿った自らの厚さと自らの幅との間での０．５より大きい比率を呈した、一次レンズと称される第１の集束レンズ３で構成された、少なくとも１つの第１光学素子群２と、低いコンストリンジェンスを呈する材料から得られる少なくとも１つの発散レンズ７で構成された第２光学素子群６と、瞳孔８と、少なくとも１つの集束反射器で構成されるか、或いは高いコンストリンジェンスを呈する材料から得られる少なくとも１つの集束レンズ１０で構成された第３光学素子群９とを備える。【選択図】図１
2017146600.tif 000002
【特許請求の範囲】
【請求項１】
少なくとも１つの光源（１）を投射するためのレンズ系であって、前記光源（１）から光の伝播方向に、
前記光源（１）に接した少なくとも１つの第１の集束レンズであって、高いコンストリンジェンスを呈する材料から得られると共に、光軸に沿った自らの厚さと自らの幅との間での０．５より大きい比率を呈した、一次レンズと称される第１の集束レンズ（３）で構成された、少なくとも１つの第１光学素子群（２）と、
低いコンストリンジェンスを呈する材料から得られる少なくとも１つの発散レンズ（７）で構成された第２光学素子群（６）と、
瞳孔（８）と、
少なくとも１つの集束反射器で構成されるか、或いは高いコンストリンジェンスを呈する材料から得られる少なくとも１つの集束レンズ（１０）で構成された第３光学素子群（９）と、
を備えたレンズ系。
【請求項２】
前記第１の一次集束レンズは、半球形状（３）であって、厚さの１０％未満の球に対するずれ、好ましくは厚さの３％未満の球に対するずれを呈している、請求項１記載のレンズ系。
【請求項３】
前記第１光学素子群（２）は、少なくとも１つの非球面状屈折面（５）を備えた第２のレンズ（４）を具備している、請求項１または２のいずれか一項に記載のレンズ系。
【請求項４】
前記第１光学素子群（２）における前記第２のレンズ（４）の前記非球面状屈折面（５）は、前記一次レンズ（３）の側に広がっている、請求項３記載のレンズ系。
【請求項５】
前記第２光学素子群（６）の前記発散レンズ（７）は両凹レンズから成る、請求項１から４のいずれか一項に記載のレンズ系。
【請求項６】
前記第２光学素子群の前記発散レンズは平凹レンズから成る、請求項１から４のいずれか一項に記載のレンズ系。
【請求項７】
前記光学素子群（９）の前記集束レンズ（１０）は、少なくとも１つの非球面状屈折面（１１）を備えている、請求項１から６のいずれか一項に記載のレンズ系。
【請求項８】
前記第３光学素子群（９）の前記集束レンズ（１０）における前記非球面状屈折面（１１）は、前記第２光学素子群（６）と前記第３光学素子群（９）との間に定置された前記瞳孔（８）とは反対の側に広がっている、請求項７記載のレンズ系。
【請求項９】
前記光源（１）は、少なくとも１つのＬＥＤ光源またはレーザーから成る、請求項１から８のいずれか一項に記載のレンズ系。
【請求項１０】
前記光源は、複数のＬＥＤ光源で構成された一次光源（１）からの放射を受ける、前記一次集束レンズ（３）と接した波長変換素子（１２）から成る、請求項１から８のいずれか一項に記載のレンズ系。
【発明の詳細な説明】
【技術分野】
【０００１】
本発明は、少なくとも１つの光源、例えば一次レンズと称される第１のレンズ内に埋められると言われる、走査レーザーや、ＬＥＤと称される発光ダイオードなどを投射するためのレンズ系に関する。本発明は、照明の分野、より特定的には自動車両用の照明および／または合図システムの分野において、多くの用途を有することとなる。
【背景技術】
【０００２】
照明の分野、特に自動車両の分野においては、様々な型式の電球が光源として用いられてきているが、最近では、発光ダイオード（ＬＥＤ）がますます広く用いられている。これは、発光ダイオード（ＬＥＤ）が、電力を光へと変換するのに優れた効率を有し、低い熱量しか放出せず、減少した寸法および重量、並びに長寿命を有しているからである。
【０００３】
これらの利点を考慮して、多くの照明システムが、レンズと直接的に整列して定置された複数のＬＥＤのアレイを用いることによって設計されてきている。そのレンズは一般的に、収差を補正することを可能とする非球面レンズである。さらに、一方では光の通過する照明システムの各屈折面によって引き起こされる収差を限定するために、他方では出光部において所望の光ビームを得るために当該屈折面の表面形状を計算することも標準的なやり方である。照明システムの光軸上に位置したＬＥＤについては良好な結像を得ることができるが、照明システムは多数のＬＥＤ、従って光軸から離れたＬＥＤを含み、それらが軸外収差を引き起こしてしまう。
【発明の概要】
【発明が解決しようとする課題】
【０００４】
本発明は、斯かる状況を改善することを企てるものである。
【課題を解決するための手段】
【０００５】
その目的のために、本発明は、少なくとも１つの光源を投射するためのレンズ系であって、当該光源から光の伝播方向に、当該光源に接した少なくとも１つの第１の集束レンズであって、高いコンストリンジェンス（constringence）を呈する材料から得られると共に、光軸に沿った自らの厚さと自らの幅との間での０．５より大きい比率を呈した、一次レンズと称される第１の集束レンズで構成された、少なくとも１つの第１光学素子群と、低いコンストリンジェンスを呈する材料から得られる少なくとも１つの発散レンズで構成された第２光学素子群と、瞳孔と、少なくとも１つの集束反射器で構成されるか、或いは高いコンストリンジェンスを呈する材料から得られる少なくとも１つの集束レンズで構成された第３光学素子群と、を備えたレンズ系に関するものである。
【０００６】
半球形状の一次レンズによって、光源から最大限の光を捕らえることが可能となり、集束、発散、および集束の順の、３つの光学系の各レンズによって、収差を補正して、光ビームを形成することが可能となる。
【０００７】
一次レンズによって捕らえられる光をできるだけ多くするために、第１の半球状の一次集束レンズが、厚さの１０％未満の球に対するずれ、好ましくは厚さの３％未満の球に対するずれを呈している。
【０００８】
第１光学素子群は、少なくとも１つの非球面状の表面を備えた第２のレンズを具備し、第１光学素子群における第２のレンズの非球面状の表面は、一次レンズとは反対の側に広がっていることが好ましい。
【０００９】
さらに、第２光学素子群の発散レンズは両凹レンズから成ることが好ましい。
【００１０】
或いは、第２光学素子群の発散レンズは平凹レンズから成る。
【００１１】
第３光学素子群の集束レンズは、少なくとも１つの非球面状の表面を備え、第３光学素子群の集束レンズにおける非球面状の表面は、第２光学素子群と第３光学素子群との間に定置された瞳孔とは反対の側に広がっていることが好ましい。
【００１２】
光源は、少なくとも１つのＬＥＤ光源またはレーザーから成ることが好ましい。
【００１３】
本発明の一態様によれば、光源は、複数のＬＥＤ光源で構成された一次光源からの放射を受ける、一次集束レンズと接した波長変換素子から成る。
【００１４】
波長変換素子は、少なくとも２つの材料を備えた基板で構成され、それらの材料が、それぞれ干渉フィルタを形成し、少なくとも２つの異なる区域内に配分されているのが好ましい。
【００１５】
本発明は、純粋に表示として与えられて本発明を限定するものではないところの、添付図面を伴った以下の説明に照らして、より良好に理解されるであろう。
【図面の簡単な説明】
【００１６】
【図１】少なくとも１つの光源を投射するための本発明によるレンズ系の模式的な描写。
【図２】本発明による投射レンズ系の変形実施形態であって、波長変換素子を備えた変形実施形態の描写。
【発明を実施するための形態】
【００１７】
各図において、同一ないし類似の各要素には同じ参照符号が付いている。
【００１８】
図１に示すように、本発明は、少なくとも１つの光源１を投射するためのレンズ系に関するものである。当該レンズ系は、前記光源１から光の伝播方向に、高いコンストリンジェンスを呈する材料から得られると共に、光軸に沿った自らの厚さと自らの高さとの間の０．５より大きい比率を呈する、前記光源１に接した半球形状の一次レンズと称される第１の集束レンズ３と、非球面状の表面５を備える第２のレンズ４とで構成された第１光学素子群２であって、その第２のレンズ４における非球面状屈折面５がレンズの入光屈折面に相当して（即ち、一次レンズ４の側に広がって）いる、第１光学素子群２と、低いコンストリンジェンスを呈する材料から得られる発散レンズ７で構成された第２光学素子群６と、瞳孔８と、高いコンストリンジェンスを呈する材料から得られる集束レンズ１０で構成された第３光学素子群９と、を備えている。以降、本明細書において、「高いコンストリンジェンス」は４０より大きいコンストリンジェンスを意味するものと理解されたく、また「低いコンストリンジェンス」は４０より小さいコンストリンジェンスを意味するものと理解されたい。
【００１９】
光源１は、いずれにしても本発明の範囲から逸脱することなく、出光部、若しくはデカップリング、光ガイド、出光部、若しくはデカップリングの区域、集束屈折面のマトリックスの区域、または、集束屈折面のマトリックスによって生成される（材料内の）虚像などの、如何なる一次光源や二次光源から成ることもできる、ということに気付かれたい。
【００２０】
例えば、第１光学素子群２の一次レンズ３および第３光学素子群９の集束レンズ１０は、スコット（ＳＣＨＯＴＴ）社によって参照記号Ｎ−ＬＡＫ３３Ａの下で市販されてコンストリンジェンスが５２である光学ガラスからや、一般的に頭字語ＰＭＭＡで呼ばれてコンストリンジェンスが５８であるポリメチルメタクリレートで、或いは同様のコンストリンジェンスを有した如何なる他の透明熱可塑性ポリマーからも得ることができるであろう。第２光学素子群６の発散レンズ６は、例えばコンストリンジェンスが３０であるポリカーボネイト（ＰＣ）やコンストリンジェンスが３３９であるガラスＮ−ＳＦ２などの、４０未満のコンストリンジェンスを呈する任意の材料から得ることができるであろう。
【００２１】
半球形状の一次レンズ３によって、光源１から最大限の光を取り出すことが可能となる。また、集束、発散、および集束の順の、３つの光学系２，６，および９のレンズ３，４，７，および１０によって、収差を補正して、光ビームを形成することが可能となる。「コンストリンジェンス（constringence）」は、各レンズの色分散を表示する指標を意味するものと理解すべきである、ということに留意されたい。つまり、コンストリンジェンスは、アッベ数および分散率と等価であり、光の波長の関数としての材料の屈折率変化に対応するものである。コンストリンジェンスが高いほど、レンズの色分散が小さくなる。
【００２２】
光の最良な取り出しと、光学収差の最適な補正との両者を得るために、半球状の一次集束レンズ３は、レンズの厚さの１０％未満の球に対するずれ、好ましくは厚さの３％未満の球に対するずれを呈している。
【００２３】
さらに、第２光学素子群の発散レンズ６は両凹レンズから成っている。そのレンズの入光屈折面は、出光屈折面の曲率半径よりも大きい曲率半径を有している。その上、第３光学素子群の集束レンズ１０は、非球面状屈折面１１を備えている。第３光学素子群９の集束レンズ１０における当該非球面状屈折面１１は、第２光学素子群６と第３光学素子群９との間に定置された瞳孔８とは反対の側に広がっており、即ち当該集束レンズ１０の出光屈折面に相当している。各レンズ３，４，６，および１０の光軸同士が同軸となっている、ということにも留意されたい。
【００２４】
この例示的実施形態において、光源１は、一次レンズ３内に蛍光体が埋められると言われる、複数の発光ダイオード（ＬＥＤと称される）から成っている。「埋められ」は、ＬＥＤの蛍光体が一次レンズ３と接している、という事実を意味するものと理解されたい。このようにして、蛍光体によって放出された光が、一次レンズ内に「埋められ」た状態で直接的に出て行くのである。但し光源は、いずれにしても本発明の範囲から逸脱することなく、当業者によく知られた任意の光源から成っていることができるであろうことは明らかである。
【００２５】
図示しない第１の変形実施形態によれば、第１光学素子群２は、単一の半球状一次集束レンズ３だけを備えることができるであろう。
【００２６】
図示しない別の変形実施形態によれば、第３光学素子群９の集束レンズ１０は、１つないし複数の集束反射器によって置き換えることができるであろう。
【００２７】
さらに、レンズ３，５，７，および１０のそれぞれは、いずれにしても本発明の範囲から逸脱することなく、少なくとも２つのレンズによって置き換えることができるであろう、ということは論をまたない。
【００２８】
図２を参照する別の変形実施形態によれば、当該レンズ系は、前述したのと同様、前記光源１から光の伝播方向に、高いコンストリンジェンスを呈する材料から得られると共に、光軸に沿った自らの厚さと自らの高さとの間の０．５より大きい比率を呈する、前記光源１に接した半球形状の一次レンズと称される第１の集束レンズ３と、非球面状の表面５を備える第２のレンズ４とで構成された第１光学素子群２であって、その第２のレンズ４における非球面状屈折面５がレンズの入光屈折面に相当して（即ち、一次レンズ４の側に広がって）いる、第１光学素子群２と、低いコンストリンジェンスを呈する材料から得られる発散レンズ７で構成された第２光学素子群６と、瞳孔８と、高いコンストリンジェンスを呈する材料から得られる集束レンズ１０で構成された第３光学素子群９と、を備えている。
【００２９】
当該レンズ系は、次の事実によって、前述したものと異なっている。即ち、そのレンズ系が、複数のＬＥＤと称される発光ダイオードで構成された一次光源１からの放射を受ける、一次集束レンズ３と接した波長変換素子１２を備えている、という事実である。かくして、波長変換素子は、埋められた二次光源、即ち一次集束レンズ３と接した二次光源のように機能するのである。
【００３０】
当該複数の発光ダイオードは、いずれにしても本発明の範囲から逸脱することなく、個別にアドレス指定可能な複数区域で構成される単一のＬＥＤによって、或いは、レーザービーム走査によって像を形成するための、拡散および／または反射面を備えた区域によって置き換えることができるであろう、ということを認められたい。
【００３１】
かくして、本発明による照明システムは、光学系の焦点の所に置かれた、即ち半球状一次レンズ３と接した光源の像を、光ビームの形態で投射することが可能である。より特定的には、当該光源１は、複数のＬＥＤのマトリックス、即ち、複数の区域（例えば正方形）に再分された発光面とすることができる。それらの区域は、一般的には例えば「ピクセル」と称され、いわゆるアダプティブ・ライティング（配光可変照明）システムを作り出すために、互いに独立して点灯したり消灯したりできるようになっている。車両における、そのようなアダプティブ・ライティングシステムは、ビームの照明の分布を交通状況に適合させることを可能とする。例えば、全てのピクセルが点灯されるときには、当該システムは路上へ（一般的にハイビームと称され、他の運転者を眩惑する）強力なビームを投射する。また、当該照明システムの前方に車両が検出されたときには、その光が他の運転者を眩惑する１つないし複数のピクセルがビーム内で消灯されて、（一般的にロービームと称される）より強力でないビームを形成する。
【００３２】
本発明は、決して上述した実施形態に限定されるものではなく、添付の特許請求の範囲から逸脱することなく多くの改変を成すことができる、ということ明確に理解されたい。
【図１】
2017146600.tif 000003
【図２】
2017146600.tif 000004
【外国語明細書】
2017146600000001.pdf